(57)【特許請求の範囲】
【請求項１】
カウンター本体と、このカウンター本体の下方に配置したカバーと、前記カウンター本体及び前記カバーで囲まれたカウンター内側の収納空間に配置した止水栓とを備えており、浴室の壁面に取付ける止水栓付きカウンターであって、
前記カウンター本体は湯桶を載置することができる載置面を上方表面に形成しており、
前記カバーは挿通孔を開設した凹底面の有る凹部を表面側に設けており、
前記止水栓は前記挿通孔を通して前記凹部内に露出して収納した開閉操作部を有していることを特徴とする止水栓付きカウンター。
【発明の詳細な説明】
【技術分野】
【０００１】
本発明は、カウンター内側に止水栓を配置して、カウンター外側に止水栓の開閉操作部を露出させた止水栓付きカウンターに関するものである。
【背景技術】
【０００２】
従来、止水栓付きカウンターは、天板パネルと前板パネルと囲まれカウンター内側に止水栓を内蔵し、前板パネルに、止水栓の開閉操作部を操作するための小孔の操作孔を設け、操作孔にドライバー等の工具の先端部を挿入して開閉操作するものがある（特許文献１）。
【特許文献１】特開２００１−１５２４９４公報
【発明の開示】
【発明が解決しようとする課題】
【０００３】
しかし、上記止水栓付きカウンターは、カウンター外側から弁操作部が見えないため、開閉操作がし難い問題がある。
【０００４】
本発明は、上記問題を解決するために、カウンター内側に止水栓を配置して見栄えよくしつつ、開閉操作がし易い止水栓付きカウンターの提供を目的とする。
【課題を解決するための手段】
【０００５】
カウンター内側に止水栓を配置して見栄えよくしつつ、開閉操作をし易くするために請求項１記載の本発明が採用した手段は、カウンター本体と、このカウンター本体の下方に配置したカバーと、前記カウンター本体及び前記カバーで囲まれたカウンター内側の収納空間に配置した止水栓とを備えており、浴室の壁面に取付ける止水栓付きカウンターであって、前記カウンター本体は湯桶を載置することができる載置面を上方表面に形成しており、前記カバーは挿通孔を開設した凹底面の有る凹部を表面側に設けており、前記止水栓は前記挿通孔を通して前記凹部内に露出して収納した開閉操作部を有していることを特徴とする止水栓付きカウンターである。また、カウンター外側から開閉操作部を見え難くして更に見栄え良くするためには、カバーの下面側に、下方へ向けて開口させて前記凹部を設けるとよい。
【発明の効果】
【０００７】
請求項１記載の本発明に係る止水栓付きカウンターは、カウンター内側に止水栓を配置して見栄えよくしつつ、カバーの表面側の凹部内に開閉操作部を露出することで、カウンター外側から開閉操作部の操作をし易くできる。
【発明を実施するための最良の形態】
【０００９】
本発明に係る止水栓付きカウンター（以下、「本発明カウンター」と言う。）を図面に示す実施形態に基づいて説明する。
【００１０】
（第１の実施の形態）
図１乃至図１２は第１の実施の形態に係る本発明カウンター１の示すものであって、図１はカウンター本体３の一部を破断して示す本発明カウンター１の全体の平面図、図２は本発明カウンター１の全体の底面図である。図３は図２のＩＩＩ−ＩＩＩ線で断面して拡大して止水栓１５と凹部１６との関係を示す左側面図、図４はカバー４を破断すると共にエプロン１７を断面して止水栓１５と凹部１６との関係を示す正面図である。図５は上方のカウンター本体３、下方のカバー４及び端キャップ５を示すものであって、図（Ａ）は三者３，４，５を分離した状態の正面図、図（Ｂ）は三者３，４，５を連結した状態の正面図である。図６は図２のＶＩ−ＶＩ線で断面した一部を拡大して示す左側面図、図７は図２のＶＩＩ−ＶＩＩ線で断面して拡大した左側面図、図８は図２のＶＩＩＩ−ＶＩＩＩ線で断面して拡大した左側面図、図９は図２のＩＸ−ＩＸ線で断面して拡大した左側面図である。図１０はカウンター本体３の底面図である。図１１はカウンター本体３及びブラケット６，６，７を分離して示す斜視図である。図１２はカバー４に設けた凹部１６の別態様を示すものであり、図３の断面部分に相当する部分の左側面図である。
【００１１】
本発明カウンター１は、図１乃至図４に示す如く、カウンター本体３とカウンター本体３の下方に配置したカバー４とからなるカウンター２を、複数個のブラケット６，６，７（図１１参照）を介して壁面Ｗに取付けたものであり、カウンター本体３及びカバー４で囲まれたカウンター内側Ｓの収納空間に二組（水用及び湯用）の止水栓１５，１５が配置されている。本発明カウンター１は、カバー４の表面４ａ側に、凹底面１６ａの有る凹部１６が設けられ、各止水栓１５の開閉操作部１５ａを、凹部１６の凹底面１６ａに開設した挿通孔１６ｃを通して凹部１６内に突出させて露出してある。本発明カウンター１は、カウンター内側Ｓの収納空間に止水栓１５，１５を配置して見栄えよくしつつ、カバー４の表面４ａ側の凹部１６内に各止水栓１５の開閉操作部１５ａを露出させることで、カウンター外側Ｇから各開閉操作部１５ａの開閉操作をし易くしてある。
【００１２】
前記カバー４に設けた凹部１６は、図２乃至図４に示す如く、凹底面１６ａと周囲側面１６ｂとで囲んで形成されている。本例の本発明カウンター１は、カバー４の下面側に設けた凹部１６を下方へ向けて開口させることで、カウンター２の上方から開閉操作部１５ａを見え難くして見栄え良くしてある。凹部１６は、図３及び図４に示す如く、カバー４と一体に形成する場合と、図１２に示す如く、カバー４と別体に成形し、カバー４の開口部４ｋに嵌め込み接合して形成する場合とがある。
【００１３】
本例のカウンター２は、図１及び図４に示す如く、浴室に設けられ、湯桶（図示略）を載置する等して利用されるものであって、一方の端（本例は左端）を浴槽（図示略）に併設したエプロン１７（図４参照）に接近させると共に他方の端（本例は右端）に端キャツプ５を取付け、カウンター本体３の上面側に温度調節機能付き湯水混合具１8 、シャワー・バス切替具１９及びシャワーホース接合具２０が配設されている。上記エプロン１７は、図４に示す如く、浴槽（図示略）の上縁と防水パン（図示略）との間に配置したエプロン本体１７ａと、エプロン本体１７ａを覆う外蓋１７ｂとを備え、浴槽裏側Ｍからカウンター内側Ｓの収納空間へ通した二本一組の配管２１，２１の各々をエプロン本体１７ａに止付け２２てある。
【００１４】
前記各止水栓１５は、カウンター内側Ｓの収納空間へ導入した配管２１に上流側１５ｂをユニオンナット２４で接合して、カウンター内側Ｓの所定位置に配置されると共に、前記湯水混合具１8 へ至る可撓性の接合ホース２５に下流側１５ｃを接合２６してある。前記各止水栓１５は、開閉操作部１５ａを開閉操作することで、開閉と流量調節を行えるようにしてある。
【００１５】
本発明カウンター１は、図１、図２及び図６に示す如く、壁面Ｗに取付けた複数個のブラケット６，６，７を手前へ張り出し、これらブラケット６（７）にカウンター本体３を連結すると共に、各ブラケット６（７）の壁側取付部６ｆ（７ｆ）にカバー４の壁側接合部４ｆを螺子や樹脂製のねじ込み式ジョイント部材等からなる取付具８（本例は図６に示す頭部付きボルト）で連結してある。そして、本発明カウンター１は、各ブラケット６（７）の壁側取付部６ｆ（７ｆ）に手前側へ向かって上り傾斜した取付片６ｆ−１（７ｆ−１）を形成すると共に、カバー４の壁側接合部４ｆに壁側へ向かって下り傾斜した接合片４ｆ−１を形成し、重ね合わせた取付片６ｆ−１（７ｆ−１）及び接合片４ｆ−１に、ねじ込み方向（図６に示す矢符Ｅ）がカバー４の下方から壁側へ向かって斜め上方となるように取付具８を螺着して、両片６ｆ−１（７ｆ−１）及び４ｆ−１を連結してある。
【００１６】
前記カウンター本体３は、図１、図６及び図１０に示す如く、合成樹脂素材を射出成型する等して成形され、上方表面に載置面３ａが形成され、周縁の適所に下垂片３ｂが形成され、下方裏面に補強用リブ３ｃ、ネジ螺着部３ｅ及び後側の係止片３ｆが形成され、手前側に排水口部３ｄが形成されている。
【００１７】
前記カバー４は、図２及び図６に示す如く、合成樹脂素材を射出成型する等して成形され、カウンター本体３の下側を覆う表面４ａを形成し、周縁の適所に起立片４ｂが形成され、上方内面に補強用リブ４ｃが形成され、壁側寄りに前記壁側接合部４ｆが形成され、手前側に排水口部４ｄが形成され、下面側に凹部１６を設けている。カバー４は、前記壁側接合部４ｆを形成するために、底面壁側寄りに側面三角形の凹部４ｇが凹設され、凹部４ｇの後側を接合片４ｆ−１で形成し、接合片４ｆ−１を壁側へ向かって下り傾斜させ、接合片４ｆ−１に取付具用挿通孔４ｆ−２を設けてある。カバー４は、凹部４ｇの上側を形成する傾斜片４ｈを壁側へ向かって上り傾斜させ、前記取付具８をねじ込むためのドライバー等のねじ込み作業工具（図示略）を傾斜片４ｈと接触させないようにしてある。
【００１８】
前記カウンター２は、ブラケット６，６，７にカウンター本体３を載置してネジ９（本例は図６に示す蝶ボルト）で連結し、カウンター本体３の周縁の下垂片３ｂに下方のカバー４の周縁の起立片４ｂを重ね合わせると共に、手前側の適所をネジ１０（本例は図７及び図８に示す頭部付きボルト）及び係合手段１１（図９参照）で連結し、カウンター本体３の排水口部３ｄ及びカバー４の排水口部４ｄで上下に開口した排水口１２を形成する。上記係合手段１１は、図５（Ａ）及び図９に示す如く、カバー４の周縁の起立片４ｂの適所から突出した係止孔付き係止片１１ａと、カウンター本体３の周縁の下垂片３ｂの裏側に突設した突起１１ｂとからなり、係止片１１ａの係止孔に突起１１ｂを係入してある。なお、カバー４は、その手前側をカウンター本体３の手前側に連結する以外に、図示は省略したが、ブラケット６（７）に連結することもある。
【００１９】
前記ブラケット６は、図１１に示す如く、金属板を折曲げ等して板金加工で成形され、起立接合片６ａと、起立接合片６ａの壁側の側縁から折曲げて延設した垂直な壁取付片６ｂと、起立接合片６ａの上方側縁から折曲げて延設した水平なカウンター本体取付片６ｃと、壁取付片６ｂの上方から延設した弾性変形する押圧片６ｄと、壁取付片６ｂの下方から手前側へ延設した壁側取付部６ｆの取付片６ｆ−１とを備え、壁取付片６ｂ及びカウンター本体取付片６ｃの各々にネジ挿通孔６ｅを設けると共に、取付片６ｆ−１に雌ネジ孔等からなる取付部６ｆ−２を設けてある。起立接合片６ａは、内側に開口部を成形して軽量化を図っている。前記ブラケット７は、上記ブラケット６よりも張出寸法を短くしたものであり、上記ブラケット６と同様に成形され、起立接合片７ａと、起立接合片７ａの壁側の側縁から折曲げて延設した壁取付片７ｂと、起立接合片７ａの上方側縁から折曲げて延設したカウンター本体取付片７ｃと、壁取付片７ｂの上方から延設した弾性変形する押圧片７ｄと、壁取付片７ｂの下方から手前側へ延設した壁側取付部７ｆの取付片７ｆ−１とを備え、壁取付片７ｂ及びカウンター本体取付片７ｃの各々にネジ挿通孔７ｅを設けてある。ブラケット６（７）は、図６に示す如く、壁パネル等からなる取付壁面Ｗにネジ１４で取付固定される。なお、ブラケット６は、樹脂で成形されたものでもよい。
【００２０】
前記カウンター本体３、カバー４及びブラケット６（７）からなる本発明カウンター１の組立ては、予めカウンター本体３に温度調節機能付き湯水混合具１8 、シャワー・バス切替具１９及びシャワーホース接合具２０を取付けると共に、カウンター本体３の下側に湯水混合具１8 へホース２５で接合２６した止水栓１５，１５を配置しておき、先ず、壁面Ｗにネジ１４で取付け固定したブラケット６（７）に、カウンター本体３を載置してネジ９（本例は図６に示す蝶ボルト）で連結し、次に、エプロン１７に取付られた各配管２１に各止水栓１５を接合２４して、各止水栓１５の位置決めを行なう。続けて、カウンター本体３の周縁の下垂片３ｂに下方のカバー４の周縁の起立片４ｂを重ね合わせて接合し、そしてカウンター本体３及びカバー４の手前側の適所をネジ１０（本例は図７及び図８に示す頭部付きボルト）及び係合手段１１（図９参照）で連結すると共に、カバー４の壁側接合部４ｆに形成した接合片４ｆ−１を各ブラケット６（７）の壁側取付部６ｆ（７ｆ）に形成した取付片６ｆ−１（７ｆ−１）に取付具８（本例は図６に示す頭部付きボルト）で連結し、カウンター本体３の縦排水路接合部３ｄ及びカバー４の縦排水形成部４ｄで上下に貫通した前記縦排水路１２を形成する。
【００２１】
（第２の実施の形態）
図１３は第２の実施の形態に係る本発明カウンター３１を示すものであって、止水栓３５と凹部１６との関係を示すものであつて、図３の断面部分に相当する部分の左側面図である。
【００２２】
本実施の形態に係る本発明カウンター３１が前記第１の実施の形態に係る本発明カウンター１（図１乃至図１２参照）と大きく異なる点は、凹部１６に各止水栓３５を取付け固定したことであり、その他の構成等については第１の実施の形態と実質的に同一であり、図１３において図１乃至図１２と同一符号は相当部分を示す。本発明カウンター３１は、カウンター内側Ｓから凹部１６の挿通孔１６ｃに挿通した各止水栓３５の取付けネジ部３５ｄにカウンター外側Ｇからナット３５ｅを螺着し、挿通孔１６ｃの開口周縁を止水栓３５の本体部３５ｆとナット３５ｅで挟持してある。
【００２３】
本発明カウンター３１は、凹部１６の挿通孔１６ｃの周縁を止水栓３５の本体部３５ｆとナット３５ｅで挟持することで凹部１６の所定位置に開閉操作部３５ａを露出させて、カバー４の所定位置に止水栓３５を配置することが可能となる。すなわち、本発明カウンター３１は、エプロン１７（図４参照）に取付けた配管２１，２１とカバー４の間で多少の位置ズレが生じていたとしても、各配管２１とカバー４の所定位置に配置した各止水栓３５の上流側を可撓性の接合ホース（図示略）で接合することができる。
【図面の簡単な説明】
【００２４】
【図１】第１の実施の形態に係る本発明カウンターを一部破断して示す全体の平面図である。
【図２】同実施の形態における本発明カウンターの全体の底面図である。
【図３】図２のＩＩＩ−ＩＩＩ線で断面して拡大して止水栓と凹部との関係を示す左側面図である。
【図４】同実施の形態におけるカバーを破断すると共にエプロンを断面して止水栓と凹部との関係を示す正面図である。
【図５】同実施の形態における上方のカウンター本体、下方のカバー及び端キャップを示すものであって、図（Ａ）は三者を分離した状態の正面図、図（Ｂ）は三者を連結した状態の正面図である。
【図６】図２のＶＩ−ＶＩ線で断面した一部を拡大して示す左側面図である。
【図７】図２のＶＩＩ−ＶＩＩ線で断面して拡大した左側面図である。
【図８】図２のＶＩＩＩ−ＶＩＩＩ線で断面して拡大した左側面図である。
【図９】図２のＩＸ−ＩＸ線で断面して拡大した左側面図である。
【図１０】同実施の形態におけるカウンター本体の底面図である。
【図１１】同実施の形態におけるカウンター本体及びブラケットを分離して示す斜視図である。
【図１２】同実施の形態におけるカバーに設けた凹部の別態様を示す左側面図である。
【図１３】第２の実施の形態に係る本発明カウンターを示すものであって、止水栓と凹部との関係を示す左側面図である。
【符号の説明】
【００２５】
２…カウンター、３…カウンター本体、４…カバー、１５（３５）…止水栓、１５ａ…開閉操作部、１６…凹部、１６ａ…凹底面、１６ｃ…挿通孔、３５ｄ…取付けネジ部、３５ｅ…ナット、３５ｆ…本体部、Ｇ…カウンター外側、Ｓ…カウンター内側
【図１】
0005191205.tif 000002
【図２】
0005191205.tif 000003
【図３】
0005191205.tif 000004
【図４】
0005191205.tif 000005
【図５】
0005191205.tif 000006
【図６】
0005191205.tif 000007
【図７】
0005191205.tif 000008
【図８】
0005191205.tif 000009
【図９】
0005191205.tif 000010
【図１０】
0005191205.tif 000011
【図１１】
0005191205.tif 000012
【図１２】
0005191205.tif 000013
【図１３】
0005191205.tif 000014